Podtech/llm-jp-corpus-v4-ja_patent huggingface dataset:
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
固形腫瘍の二段階周術期治療に有用な医薬であって、第一の腫瘍指向性薬と、該第一薬に親和性の第二の抗癌剤の組み合わせを活性成分として含む医薬。
【請求項２】
前記第一薬が術中段階に局所的ルートで投与され、前記第二薬が術後段階に全身的ルートで投与される、請求項１に記載の医薬。
【請求項３】
前記腫瘍指向性薬がアビジンを含有する、請求項１または２に記載の医薬。
【請求項４】
前記第一薬がアビジンであり、前記第二薬が抗癌剤を担持するビオチン化合物である、請求項１〜３のいずれかに記載の医薬。
【請求項５】
前記抗癌剤が、放射性同位体、化学療法薬、毒素および抗癌細胞からなる群から選択される、請求項１〜４のいずれかに記載の医薬。
【請求項６】
前記放射性同位体が、Fe-52、Mn-52m、Co-55、Cu-64、Ga-67、Ga-68、Tc-99m、In-111、I-123、I-125、I-131、P-32、Sc-47、Cu-67、Y-90、Pd-109、Ag-111、I-131、Pm-149、Re-186、Re-188、At-211、Pb-212、Bi-212およびLu-177からなる群から選択される、請求項５に記載の医薬。
【請求項７】
前記放射性同位体がY-90またはLu-177である、請求項６に記載の医薬。
【請求項８】
前記アビジンおよびビオチン化合物が別個の容器に含まれる、請求項４に記載の医薬。
【請求項９】
前記腫瘍が、乳房、膵臓、肺、胸膜、腹膜、頚顔面部、脳および膀胱の腫瘍からなる群から選択される、請求項１〜８のいずれかに記載の医薬。
【請求項１０】
前記アビジンが、アビジン、ストレプトアビジン、それらのポリマー誘導体およびそれらのポリエチレングリコールとの誘導体からなる群から選択される、請求項３〜９のいずれかに記載の医薬。
【請求項１１】
注射による投与に適している、請求項１〜１０のいずれかに記載の医薬。
【請求項１２】
前記アビジンの容器が、正確な容量の連続投与に適したシリンジの形態である、請求項１１に記載の医薬。
【請求項１３】
前記アビジンの単回用量が、個別の容器に含まれる、請求項４に記載の医薬。
【請求項１４】
前記アビジンの容器が、スプレー形式の投与に適している、請求項４に記載の医薬。
【請求項１５】
二段階周術期治療のためのキットであって、アビジン化合物を含む第一の容器、および抗癌剤を担持するビオチン化合物を含む第二の容器の、個別の容器の組からなるキット。
【請求項１６】
第一の容器が腫瘍関連抗原に特異的なアビジン化抗体または抗体の混合物を含み、第二の容器が抗癌剤を担持するビオチン化合物を含む、請求項１５に記載のキット。
【請求項１７】
請求項１に記載の医薬の治療前生体内分布を診断するための組成物であって、腫瘍指向性の第一薬と、該第一薬に親和性の放射標識した第二薬の組み合わせを含む組成物。
【手続補正２】
【補正対象書類名】明細書
【補正対象項目名】０００９
【補正方法】変更
【補正の内容】
【０００９】
従って、本発明の第一の対象は、第一の段階が手術中の局所領域的工程からなり、第二の段階が手術後の全身的工程からなる二段階周術期治療に有用な医薬の調製のために、活性成分として腫瘍指向性の第一薬と、該第一薬に親和性の第二の抗癌剤とを組み合わせて用いることである。本発明の好ましい態様において、該治療は放射線治療の形態で行われる。
【手続補正３】
【補正対象書類名】明細書
【補正対象項目名】００１８
【補正方法】変更
【補正の内容】
【００１８】
使用するアビジン化合物は市販のアビジンタンパク質そのものでもよい。天然のアビジンに加え、他の同種タンパク質、例えばストレプトアビジン、またはアビジン、ストレプトアビジンのポリマー誘導体、またはそれらのポリエチレングリコールとの誘導体(PEG-ylated avidins; Chinol M., Br. J. Cancer 1998; 78:189-197)も用いることができる。
【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
ＣＸＣＲ４受容体もしくはそのホモログを発現する細胞内でのＣＸＣＲ４シグナル伝達を阻害するために投与可能なＣＸＣＲ４ペプチドアンタゴニストであって、該ＣＸＣＲ４ペプチドアンタゴニストが抗体もしくはそのフラグメントではないことを特徴とする該ＣＸＣＲ４ペプチドアンタゴニスト。
【請求項２】
ＣＸＣＲ４ペプチドアンタゴニストがＴＮ１４００もしくはその誘導体である、請求項１に記載のＣＸＣＲ４ペプチドアンタゴニスト。
【請求項３】
ＣＸＣＲ４ペプチドアンタゴニストがＴＣ１４０１２、ＴＥ１４０１１、およびその組み合わせからなる群から選択される、請求項１に記載のＣＸＣＲ４ペプチドアンタゴニスト。
【請求項４】
ＣＸＣＲ４ペプチドアンタゴニストと、その医薬上許容される塩もしくはプロドラッグとの組み合わせであって、該ＣＸＣＲ４ペプチドアンタゴニストが抗体もしくは抗体フラグメントではない該組み合わせ。
【請求項５】
ＣＸＣＲ４ペプチドアンタゴニストがＴ１４０、Ｔ２２、ＴＣ１４０１２、ＴＥ１４０１１、およびその組み合わせからなる群から選択される、請求項４に記載の組み合わせ。
【請求項６】
癌細胞または癌細胞転移を検出するための方法であって、
（ａ）細胞サンプルを、検出可能な標識を含むＣＸＣＲ４アンタゴニストと接触させることと、
（ｂ）該検出可能な標識を検出することと、
（ｃ）該検出可能な標識の量を癌細胞または癌細胞転移の存在と関連付けることと、
を含む癌細胞または癌細胞転移を検出するための方法。
【請求項７】
該ＣＸＣＲ４アンタゴニストが抗体もしくは抗体フラグメント以外のペプチドアンタゴニストである、請求項６に記載の方法。
【請求項８】
該ＣＸＣＲ４ペプチドアンタゴニストがＴＮ１４００３である、請求項７に記載の方法。
【請求項９】
該ＣＸＣＲ４ペプチドアンタゴニストがＴＣ１４０１２およびＴＥ１４０１１からなる群から選択される、請求項７に記載の方法。
【請求項１０】
癌細胞または癌細胞転移を検出するための方法であって、
（ａ）細胞サンプルを蛍光標識ＣＸＣＲ４ペプチドアンタゴニストと接触させることと、
（ｂ）該蛍光標識ＣＸＣＲ４ペプチドアンタゴニストを含む該細胞サンプルを励起量の電磁放射線で照射することと、
（ｃ）該蛍光標識ＣＸＣＲ４の発光を検出することと、
（ｄ）該検出可能な蛍光を癌細胞または癌細胞転移の存在と関連付けることと、
を含む癌細胞または癌細胞転移を検出するための方法。
【請求項１１】
癌細胞または癌細胞転移を検出するための方法であって、
（ａ）細胞サンプルをビオチン化ＣＸＣＲ４ペプチドアンタゴニストと接触させることと、
（ｂ）該ビオチン化ＣＸＣＲ４アンタゴニストを含む該細胞サンプルをストレプトアビジン結合検出可能標識と接触させることと、
（ｃ）該検出可能標識を検出することと、
（ｄ）該検出可能標識を癌細胞または癌細胞転移の存在と関連付けることと、
を含む癌細胞または癌細胞転移を検出するための方法。
【請求項１２】
該検出可能標識が蛍光体または放射性同位体を含む、請求項１１に記載の方法。
【請求項１３】
ＣＸＣＲ４  ｍＲＮＡの領域に対して特異的なｓｉＲＮＡを含むＣＸＣＲ４ポリヌクレオチドアンタゴニスト。
【請求項１４】
ＣＸＣＲ４  ｍＲＮＡの第２の領域に対して特異的な第２のｓｉＲＮＡをさらに含む、請求項１３に記載のＣＸＣＲ４ポリヌクレオチドアンタゴニスト。
【請求項１５】
腫瘍または癌細胞転移を阻害するために十分な量でＣＸＣＲ４  ｍＲＮＡに対して特異的なｓｉＲＮＡを含む医薬組成物。
【請求項１６】
該ｓｉＲＮＡがＵＡＡＡＡＵＣＵＵＣＣＵＧＣＣＣＡＣＣｄＴｄＴ（配列番号１５）を含む、請求項１５に記載の組成物。
【請求項１７】
該ｓｉＲＮＡがＧＧＡＡＧＣＵＧＵＵＧＧＣＵＧＡＡＡＡｄＴｄＴ（配列番号１６）を含む、請求項１５に記載の組成物。
【請求項１８】
少なくとも２つのｓｉＲＮＡを含み、各ｓｉＲＮＡがＣＸＣＲ４  ｍＲＮＡの異なる領域を標的とする、請求項１５に記載の組成物。
【請求項１９】
該少なくとも２つのｓｉＲＮＡがＵＡＡＡＡＵＣＵＵＣＣＵＧＣＣＣＡＣＣｄＴｄＴ（配列番号１５）およびＧＧＡＡＧＣＵＧＵＵＧＧＣＵＧＡＡＡＡｄＴｄＴ（配列番号１６）を含む、請求項１８に記載の組成物。
【請求項２０】
ＣＸＣＲ４  ｍＲＮＡの異なる領域を標的とする少なくとも２つのｓｉＲＮＡを含む裸のｓｉＲＮＡのプール。
【請求項２１】
ｓｉＲＮＡがターゲティング物質に結合している、請求項２０に記載の裸のｓｉＲＮＡのプール。
【請求項２２】
ターゲティング物質が葉酸塩もしくはその誘導体を含む、請求項２１に記載の裸のｓｉＲＮＡのプール。
【請求項２３】
ＣＸＣＲ４  ｍＲＮＡの領域に相補的であるポリヌクレオチド配列を含む、葉酸塩に結合したｓｉＲＮＡであって、前記ｓｉＲＮＡが腫瘍転移を阻害するｓｉＲＮＡ。
【請求項２４】
ＣＸＣＲ４  ｍＲＮＡに対して特異的な１つ以上のｓｉＲＮＡ、その医薬上許容される塩もしくはプロドラッグ、および制御放出または遅延放出のための手段を含む持続放出性医薬組成物。
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
治療を必要とする哺乳類の新生物の治療用の医薬組成物であって、ＣＣＩ−７７９およびインターフェロン−αを含む組み合わせを含む医薬組成物。
【請求項２】
新生物が腎臓癌である、請求項１記載の医薬組成物。
【請求項３】
新生物が軟部組織肉腫である、請求項１記載の医薬組成物。
【請求項４】
新生物が乳癌である、請求項１記載の医薬組成物。
【請求項５】
新生物が肺の神経内分泌腫瘍である、請求項１記載の医薬組成物。
【請求項６】
新生物が子宮頸癌である、請求項１記載の医薬組成物。
【請求項７】
新生物が子宮癌である、請求項１記載の医薬組成物。
【請求項８】
新生物が頭部癌および頸部癌である、請求項１記載の医薬組成物。
【請求項９】
新生物が神経膠腫である、請求項１記載の医薬組成物。
【請求項１０】
新生物が非小細胞肺癌である、請求項１記載の医薬組成物。
【請求項１１】
新生物が前立腺癌である、請求項１記載の医薬組成物。
【請求項１２】
新生物が膵臓癌である、請求項１記載の医薬組成物。
【請求項１３】
新生物がリンパ腫である、請求項１記載の医薬組成物。
【請求項１４】
新生物が黒色腫である、請求項１記載の医薬組成物。
【請求項１５】
新生物が小細胞肺癌である、請求項１記載の医薬組成物。
【請求項１６】
新生物が卵巣癌である、請求項１記載の医薬組成物。
【請求項１７】
新生物が結腸癌である、請求項１記載の医薬組成物。
【請求項１８】
新生物が食道癌である、請求項１記載の医薬組成物。
【請求項１９】
新生物が胃癌である、請求項１記載の医薬組成物。
【請求項２０】
新生物が白血病である、請求項１記載の医薬組成物。
【請求項２１】
新生物が結腸直腸癌である、請求項１記載の医薬組成物。
【請求項２２】
新生物がカポジ肉腫である、請求項１記載の医薬組成物。
【請求項２３】
新生物が肝臓癌である、請求項１記載の医薬組成物。
【請求項２４】
新生物が未知の原発性癌である、請求項１記載の医薬組成物。
【請求項２５】
治療を必要とする哺乳類の新生物の治療用の医薬組成物であって、ＣＣＩ−７７９およびインターフェロンαを含む組み合わせを含み、ＣＣＩ−７７９またはインターフェロン−αのいずれか、あるいはその両方が、治療的に有効な量以下である医薬組成物。
【請求項２６】
抗新生物的に有効な量のＣＣＩ−７７９およびインターフェロンαの組み合わせを含む、抗新生物剤組み合わせ。
【請求項２７】
治療を必要とする哺乳類の新生物の治療用の医薬組成物であって、４２−Ｏ−（２−ヒドロキシ）エチルラパマイシンおよびインターフェロンαを含む組み合わせを含む医薬組成物。
【請求項２８】
治療を必要とする哺乳類の新生物の治療用の医薬の製造におけるＣＣＩ−７７９およびインターフェロンαの使用。
【請求項２９】
新生物が、腎臓癌、軟部組織肉腫、乳癌、肺の神経内分泌腫瘍、子宮頸癌、子宮癌、頭部癌および頸部癌、神経膠腫、非小細胞肺癌、前立腺癌、膵臓癌、リンパ腫、黒色腫、小細胞肺癌、卵巣癌、結腸癌、食道癌、胃癌、白血病、結腸直腸癌および未知の原発性癌からなる群から選択される、請求項２８記載の使用。
【請求項３０】
ＣＣＩ−７７９またはインターフェロンαのいずれか、あるいはその両方が、治療的に有効な量以下で投与される、請求項２９記載の使用。
【請求項３１】
治療を必要とする哺乳類の新生物の治療用の医薬の製造における、４２−Ｏ−（２−ヒドロキシ）エチルラパマイシンおよびインターフェロンαの使用。
【請求項３２】
治療を必要とする哺乳類のエストロゲン受容体陽性の癌の治療用の医薬の製造における、ＣＣＩ−７７９およびインターフェロンαの使用。
【請求項３３】
エストロゲン受容体陽性の癌が、乳癌または卵巣癌である、請求項３２記載の使用。
【請求項３４】
ＣＣＩ−７７９またはインターフェロン、あるいはその両方が、治療的に有効な量以下で投与される、請求項３２または請求項３３記載の使用。
【請求項３５】
治療を必要とする哺乳類の、エストロゲン受容体陽性の癌の治療用の医薬の製造における、４２−Ｏ−（２−ヒドロキシ）エチルラパマイシンおよびインターフェロンαの使用。
【請求項３６】
治療を必要する哺乳類の新生物の治療における、同時、別個または連続使用のための組み合わせ製剤としての、（ａ）ＣＣＩ−７７９または４２−Ｏ−（２−ヒドロキシ）エチルラパマイシンおよび（ｂ）インターフェロンαを含有する生成物。
【請求項３７】
哺乳類の新生物をインターフェロンαで治療するための医薬の製造における、ＣＣＩ−７７９または４２−Ｏ−（２−ヒドロキシ）エチルラパマイシンの使用。
【請求項３８】
哺乳類の新生物をＣＣＩ−７７９または４２−Ｏ−（２−ヒドロキシ）エチルラパマイシンで治療するための医薬の製造における、インターフェロンαの使用。
【請求項３９】
個々の哺乳類の新生物の一連の治療を含有する医薬パックであって、単位剤形で（ａ）ＣＣＩ−７７９のユニットおよび（ｂ）インターフェロンαのユニットを含有するパック。
【請求項４０】
治療を必要する哺乳類の新生物の治療に有用な医薬組成物であって、単位剤形で（ａ）４２−Ｏ−（２−ヒドロキシ）エチルラパマイシンおよび（ｂ）インターフェロンαのユニットを、医薬上許容される担体と組み合わせるか、あるいは関連させて含む組成物。
【請求項４１】
抗新生物的に有効な量の４２−Ｏ−（２−ヒドロキシ）エチルラパマイシンおよびインターフェロンαの組み合わせを含む、抗新生物組み合わせ。
【手続補正書】
【提出日】平成19年4月5日(2007.4.5)
【手続補正１】
【補正対象書類名】明細書
【補正対象項目名】００５３
【補正方法】変更
【補正の内容】
【００５３】
試料として使用した燃料油は、米国、メリーランド州ゲーサズバークのクラウンサービスステーションから得た一般的なディーゼル油である。この燃料油を処理するための装置は、本出願者により提供された例２の装置である。試料は、試験の際に円筒形セルに入れた。中性子の通過長は１ｍｍであり、中性子線の直径は１２．７ｍｍであり、従って、測定した試料体積は０．２ｍｌであった。
【手続補正２】
【補正対象書類名】明細書
【補正対象項目名】００５６
【補正方法】変更
【補正の内容】
【００５６】
しかし、同じ燃料試料を、例２に記載する装置で燃料が重力下で装置を通るようにして処理した。集めた試料を、１週間に２回、上記と同じ方法を使用してＱ尺度０．００８ｎｍ−１＜Ｑ＜１ｎｍ−１で測定した。試験結果を同じ図面に上記の結果と共にプロットした（Ｄ４Ａ（正方形）およびＤ４Ｂ（三角形））。Ｄ４Ａは、例２に記載した装置によって処理した直後のＤ１と同じディーゼルの試料の測定結果を示す。Ｄ４Ｂは、１週間後に測定した同じ試料Ｄ４Ａのデータを示す。２つの測定は類似しているが、低Ｑにおける強度増加が無いことに関して未処理燃料の結果とは明らかに異なっている。図３の目盛は対数である。Ｄ４ＡおよびＤ４Ｂの平均値は１ｃｍ−１（散乱の断面積／単位体積）であるが、低ＱにおけるＤ１の強度は、Ｄ４のそれよりも数倍〜数十倍大きい。事実、曲線全体が平坦であり、測定範囲（０．００８ｎｍ−１〜０．４ｍ−１）内で測定できる粒子が無いことを示している。例２の装置により新たに処理したそれぞれの燃料油を使用して試験を２回繰り返し、同様の結果を得た。
【手続補正３】
【補正対象書類名】明細書
【補正対象項目名】００５７
【補正方法】変更
【補正の内容】
【００５７】
結論
ＳＡＮＳ測定は、従来のディーゼル燃料が、３００ｎｍを超えるサイズの粒子を含むことを示している。しかし、従来の試料中にあるこれらの粒子は、燃料試料を例２の装置で処理することにより消失する。処理された試料中にある粒子のサイズは、ナノメートルレベルにある。３ｎｍを超える粒子は、処理された燃料油中で検出できない。
【手続補正４】
【補正対象書類名】明細書
【補正対象項目名】００６３
【補正方法】変更
【補正の内容】
【００６３】
上記の結果から、このディーゼル油は、例１に記載する装置を通過した後、その物理的特性が明らかに変化し、特に
１）処理したディーゼル油のＴ１およびＴ２弛緩時間が短くなり、ディーゼル油分子が磁界により分極したことを示している。図４および５は、回復過程が周期的なものであることを示している。
２）処理したディーゼル油の粘度が明らかに低下し、最大低下率は、流量１０Ｌ／ｈおよび２０Ｌ／ｈに対してそれぞれ２２．６％および１４．５％である。粘度も周期的な回復過程を有する。
３）処理したディーゼル油の比重が低下し、最大低下率は、０．３％である。２４時間後、明らかな比重の回復はない。
【手続補正書】
【提出日】平成19年1月16日(2007.1.16)
【手続補正１】
【補正対象書類名】特許請求の範囲
【補正対象項目名】請求項１４
【補正方法】変更
【補正の内容】
【請求項１４】
最終段階により得られる、エステルＦのエステル混合物を含有する反応混合物は、ＤＩＮ ＥＮ ３６８２による酸価少なくともＫＯＨ２５ｍｇ／ｇを有する、請求項１１から１３までのいずれか１項に記載の方法。
【手続補正２】
【補正対象書類名】特許請求の範囲
【補正対象項目名】請求項１６
【補正方法】変更
【補正の内容】
【請求項１６】
反応ａ）において、（メタ）アクリル酸対アルコキシル化トリメチロールプロパンを含む混合物のモル比は少なくとも１５：１である、請求項１１から１５のいずれか１項に記載の方法。
【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
オンライン検索システムであって、
複数のプロセッサおよびコンピュータ可読媒体と、
関連するインデックスセットを有する複数のデータセットと、
該コンピュータ可読媒体からの該複数のプロセッサのうちの一つ以上のプロセッサ上で実行可能な複数の検索エンジンと、
該コンピュータ可読媒体からの該複数のプロセッサのうちの少なくとも１つのプロセッサ上で実行可能なオンラインデータプラットフォームエージェントであって、
構成データを受信し、該複数のデータセットのうちのデータセットを、該複数の検索エンジンのうちの一つ以上の検索エンジンと関連づけるように動作可能であり、
検索エンジンの失敗が検出されたときに、データセットを、該複数の検索エンジンのうちの一つ以上の検索エンジンと再び関連づけるように動作可能である、オンラインデータプラットフォームエージェントと
を備えている、システム。
【請求項２】
複数のサーバをさらに備えており、各サーバが前記検索エンジンのうちの少なくとも一つの検索エンジンにホスティングする、請求項１に記載のシステム。
【請求項３】
各サーバが、前記複数のプロセッサのうちの一つ以上のプロセッサと、関連したＬｉｎｕｘオペレーティングシステムとを含む、請求項２に記載のシステム。
【請求項４】
前記複数の検索エンジンに検索要求を分散させるように動作可能な複数の検索制御器をさらに備えている、請求項１に記載のシステム。
【請求項５】
前記複数の検索制御器と前記複数の検索エンジンとの間に検索要求をルーティングさせるように動作可能なメッセージサービスをさらに備えている、請求項４に記載のシステム。
【請求項６】
前記メッセージサービスがＪＡＶＡ（登録商標）メッセージサービスを含む、請求項５に記載のシステム。
【請求項７】
前記検索要求がメッセージキューにルーティングされる、請求項５に記載のシステム。
【請求項８】
前記メッセージキューがＩＢＭ／ＭＱメッセージキューソフトウェアの一バージョンによって提供される、請求項７に記載のシステム。
【請求項９】
前記データセットの各々がデータ収集へのインデックスの一部を含む、請求項１に記載のシステム。
【請求項１０】
検索を行う方法であって、
複数のデータセットを提供することと、
該複数のデータセットのうちのデータセットを、該複数の検索エンジンのうちの一つ以上の検索エンジンと関連づけることと、
検索要求を受信することと、
該検索要求に応答して検索されるべき該複数のデータセットのうちの少なくとも１つのデータセットを識別することと、
該複数の検索エンジンのうちの少なくとも１つの検索エンジンに該検索要求を送信することであって、該検索エンジンは該少なくとも１つのデータセットとの関連性を有している、ことと、
検索エンジンの失敗が検出されたときに、データセットを、該複数の検索エンジンのうちの一つ以上の検索エンジンと再び関連付けることと
を包含する、方法。
【請求項１１】
前記データセットがデータ収集用のインデックスの一部を含む、請求項１０に記載の方法。
【請求項１２】
前記検索要求を送信することが、メッセージキューに該検索要求を配置することを包含する、請求項１０に記載の方法。
【請求項１３】
前記メッセージキューに関連した識別子は、前記データセットに関連した識別子と同一である、請求項１２に記載の方法。
【請求項１４】
前記検索エンジンのうちの複数の検索エンジンに送信するために前記検索要求を分割することをさらに包含する、請求項１０に記載の方法。
【請求項１５】
検索を行う方法を実行するための命令を有する機械可読媒体であって、該方法は、
複数のデータセットを提供することと、
該複数のデータセットのうちのデータセットを、該複数の検索エンジンのうちの一つ以上の検索エンジンと関連づけることと、
検索要求を受信することと、
該検索要求に応答して検索されるべき該複数のデータセットのうちの少なくとも１つのデータセットを識別することと、
該複数の検索エンジンのうちの少なくとも１つの検索エンジンに該検索要求を送信することであって、該検索エンジンは該少なくとも１つのデータセットとの関連性を有している、ことと、
検索エンジンの失敗が検出されたときに、データセットを、該複数の検索エンジンのうちの一つ以上の検索エンジンと再び関連づけることと
を包含する、機械可読媒体。
【請求項１６】
前記データセットがデータ収集用のインデックスの一部を含む、請求項１５に記載の機械可読媒体。
【請求項１７】
前記検索要求を送信することが、メッセージキューに該検索要求を配置することを包含する、請求項１５に記載の機械可読媒体。
【請求項１８】
前記メッセージキューに関連した識別子は、前記データセットに関連した識別子と同一である、請求項１７に記載の機械可読媒体。
【請求項１９】
前記検索エンジンのうちの複数の検索エンジンに送信するために前記検索要求を分割することをさらに包含する、請求項１５に記載の機械可読媒体。
【請求項２０】
検索を行うシステムであって、
複数のプロセッサおよびコンピュータ可読媒体と、
複数のデータセットを提供する手段と、
該複数のデータセットのうちのデータセットを、該コンピュータ可読媒体からの該複数のプロセッサのうちの一つ以上のプロセッサによって実行可能な複数の検索エンジンのうちの１つ以上の検索エンジンと関連づける手段と、
検索要求を受信する手段と、
該検索要求に応答して検索されるべき該複数のデータセットのうちの少なくとも１つのデータセットを識別する手段と、
該複数の検索エンジンのうちの少なくとも１つの検索エンジンに該検索要求を送信する手段であって、該検索エンジンは該少なくとも１つのデータセットとの関連性を有している、手段と、
検索エンジンの失敗が検出されたときに、データセットを、該複数の検索エンジンのうちの一つ以上の検索エンジンと再び関連づける手段と
を備えている、システム。
【請求項２１】
前記データセットがデータ収集用のインデックスの一部を含む、請求項２０に記載のシステム。
【請求項２２】
前記検索要求を送信する手段が、メッセージキューに該検索要求を配置する手段を含む、請求項２０に記載のシステム。
【請求項２３】
前記メッセージキューに関連した識別子は、前記データセットに関連した識別子と同一である、請求項２２に記載のシステム。
【請求項２４】
前記検索エンジンのうちの複数の検索エンジンに送信するために前記検索要求を分割する手段をさらに備えている、請求項２０に記載のシステム。
【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
固体粒子状物質、炭化水素および酸性種を含んでなるガスを分析する方法であって、
前記ガスの試料を塩基性材料と接触させ、前記酸性種を吸収し、
前記塩基性材料が、アルカリ金属の化合物、アルカリ土類金属の化合物、希土類金属の化合物、またはそれらのいずれか２種類以上の混合物であり、
前記入口ガスを粒子状物質に関して分析し、および
前記塩基性材料を離れる前記ガス試料を粒子状物質に関して分析する、各工程を含んでなる、方法。
【請求項２】
前記塩基性材料の温度が、３５０℃〜５００℃であり、必要に応じて４００℃〜４５０℃である、請求項１に記載の方法。
【請求項３】
i)    前記ガス試料を、炭化水素を酸化する触媒と接触させ、かつ、前記酸化触媒を離れる前記ガス試料を粒子状物質に関して分析すること；
ii)   前記ガス試料を、ＳＯ２からＳＯ３への酸化に対して前記炭化水素を選択的に酸化する触媒と接触させ、ここで、前記触媒が、パラジウム、ロジウム、金、およびそれらのいずれか２種類以上の混合物からなる群から選択されるものであり、かつ、前記選択的酸化触媒を離れる前記ガス試料を粒子状物質に関して分析すること；
iii)  前記ガス試料を、前記炭化水素を酸化する酸化触媒および前記酸性種を吸収する塩基性材料と接触させ、かつ、出口ガス試料を粒子状物質に関して分析すること；および
iv)   前記ガス試料を、固体粒子状物質を除去する粒子状物質フィルターと接触させ、前記フィルターを離れる前記ガス試料を粒子状物質に関して分析すること；からなる群から選択された少なくとも一つの追加工程を含んでなる、請求項１又は２に記載の方法。
【請求項４】
工程i)が、前記入口ガスを粒子状物質に関して分析する工程と、前記ガス試料を前記塩基性材料と接触させる工程との間に挿入される、請求項３に記載の方法。
【請求項５】
工程iii)において、前記未処理ガス試料が前記酸化触媒と接触されてから、前記塩基性材料と接触されてなる、請求項３又は４に記載の方法。
【請求項６】
工程iii)において、前記ガス試料が、前記酸化触媒および前記塩基性材料と同時に接触される、請求項３〜５のいずれか一項に記載の方法。
【請求項７】
前記試料の分析から得た粒子状物質の分析値を、前記または各下流の分析から得た対応する値と比較する工程を含んでなる、請求項１〜６のいずれか一項に記載の方法。
【請求項８】
前記未処理ガスから除去された成分に対応する前記分析値に対する正味値を、前記または各下流の分析から得た値を前記試料の分析から得た前記対応する値から差し引くことにより得る工程を含んでなる、請求項７に記載の方法。
【請求項９】
前記試料が、分析すべき前記ガスの希釈物である、請求項１〜８のいずれか一項に記載の方法。
【請求項１０】
前記ガスが、内燃機関、例えばディーゼルエンジン、の排ガスである、請求項１〜９のいずれか一項に記載の方法。
【請求項１１】
前記酸性種が、二酸化硫黄、三酸化硫黄、一酸化窒素、二酸化窒素、硫酸および硝酸の少なくとも一種を包含する、請求項１〜１０のいずれか一項に記載の方法。
【請求項１２】
固体粒子状物質、炭化水素および酸性種を含んでなるガスを分析する装置であって、
前記酸性種を吸収する塩基性材料を含んでなる第一構成部と、
前記塩基性材料が、アルカリ金属の化合物、アルカリ土類金属の化合物、希土類金属の化合物、またはそれらのいずれか２種類以上の混合物であり、
前記入口ガスを粒子状物質に関して分析する手段と、および
前記第一構成部の出口ガスを粒子状物質に関して分析する手段とを備えてなる、装置。
【請求項１３】
前記入口ガスを分析する手段の下流に配置された第二構成部を備えてなり、
前記第二構成部が、前記酸性種を吸収する塩基性材料と、および炭化水素を酸化する酸化触媒と、および前記第二構成部の出口ガスを粒子状物質に関して分析する手段とを備えてなる、請求項１２に記載の装置。
【請求項１４】
前記入口ガスを分析する手段の下流に配置された第三構成部を備えてなり、
前記第三構成部が、固体粒子状物質を除去する粒子状物質フィルターと、および前記第三構成部の出口ガスを粒子状物質に関して分析する手段とを備えてなる、請求項１２又は１３に記載の装置。
【請求項１５】
前記入口ガスを分析する手段の下流に配置された第四構成部を備えてなり、
前記第四構成部が、炭化水素を酸化する酸化触媒と、および前記第四構成部の出口ガスを粒子状物質に関して分析する手段とを備えてなる、請求項１２〜１４のいずれか一項に記載の装置。
【請求項１６】
前記第四構成部の出口ガスが、前記入口ガスを分析する手段の下流にある前記第一構成部の前記入口に供給される、請求項１５に記載の装置。
【請求項１７】
前記入口ガスを分析する手段の下流に配置された第五構成部を備えてなり、
前記第五構成部が、ＳＯ２からＳＯ３への酸化に対して炭化水素を酸化する酸化触媒と、    前記触媒が、パラジウム、ロジウム、金、およびそれらのいずれか２種類以上の混合物からなる群から選択されるものであり、および
前記第五構成部の出口ガスを粒子状物質に関して分析する手段とを備えてなる、請求項１２〜１６のいずれか一項に記載の装置。
【請求項１８】
前記または各分析手段が、
前記ガス中の粒子状物質の質量値；
前記ガス中の粒子状物質の数値；及び
前記ガス中の粒子状物質の表面積値；からなる群から選択されてなるパラメータを測定するものである、請求項１２〜１７のいずれか一項に記載の装置。
【請求項１９】
前記または各分析手段が、前記値を粒子径の関数として測定する、請求項１８に記載の装置。
【請求項２０】
前記または各分析手段が、前記ガス中のナノ粒子を測定する、請求項１２〜１９のいずれか一項に記載の装置。
【請求項２１】
前記または各分析手段が、示差移動度分析装置、走査移動度粒子径測定装置、および凝縮粒子計数器からなる群から選択される、請求項１２〜２０のいずれか一項に記載の装置。
【請求項２２】
前記塩基性材料および／または酸化触媒が、モノリシック基材上に担持されている、請求項１２〜２１のいずれか一項に記載の装置。
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
物体を認証する方法であって、前記物体は第１のマシン読み取り可能な証印を含み、該第１のマシン読み取り可能な証印は第１成分を含むものである方法において、
前記物体の上に個別の層を設けるステップであって、前記個別の層は、第２のマシン読み取り可能な証印を含み、該第２のマシン読み取り可能な証印は第２成分を含むものであるステップと、
前記物体の上に設けられたときに前記個別の層の少なくとも一部分の映像を光学的に捕獲するステップであって、前記物体の少なくとも一部分は前記映像において前記個別の層を通して認知できるものであるステップと、
前記補獲された映像から前記第２成分をマシン読み取りするステップと、
少なくとも前記第２成分を参照して前記補獲された映像から前記第１成分を分析するステップと、
を備える方法。
【請求項２】
前記第１成分は、暗号化されたメッセージを含み、前記第２成分は、前記暗号化されたメッセージを暗号解読するためのキーを含み、前記分析ステップは、前記第１のマシン読み取り可能な証印をマシン読み取りして前記暗号化されたメッセージを回復すると共に、前記暗号化されたメッセージを前記キーで暗号解読することを含む、請求項１に記載の方法。
【請求項３】
前記第１成分は、デジタル透かしメッセージを含み、前記第２成分は、デジタル透かし方向付け成分を含み、前記分析ステップは、前記方向付け成分に基づいて前記映像を整列させ、次いで、前記デジタル透かしメッセージをマシン読み取りすることを含む、請求項１に記載の方法。
【請求項４】
前記第１成分は、少なくともメッセージを含み、前記第２成分は、前記メッセージを読み取るためのプロトコルを識別し、前記分析ステップは、前記メッセージをマシン読み取りするときに前記プロトコルを使用することを含む、請求項１に記載の方法。
【請求項５】
前記第１成分は、第１セットの層及び第２セットの層を含み、前記第２成分は、前記第１セットの層だけを分析する、請求項１に記載の方法。
【請求項６】
前記第２セットの層は、異なる個別の層に対応する、請求項５に記載の方法。
【請求項７】
前記物体は、識別ドキュメントを含み、前記第１セットの層は、該識別ドキュメントのどこかに含まれた情報に対応するメッセージフィールドを含む、請求項５に記載の方法。
【請求項８】
前記第１のマシン読み取り可能な証印及び前記第２のマシン読み取り可能な証印の少なくとも一方がデジタル透かしを含む、請求項１に記載の方法。
【請求項９】
前記第１のマシン読み取り可能な証印は、バーコード、データマトリクス及びグリフの少なくとも１つを含み、前記第２のマシン読み取り可能な証印はデジタル透かしを含む、請求項１に記載の方法。
【請求項１０】
ワイヤレスネットワークを経て情報にアクセスするための方法において、
ステガノグラフィー証印を含む物体の少なくとも一部分を表す光学的スキャンデータを受信するステップであって、前記証印が識別子を含むようなステップと、
前記識別子をサーバーにワイヤレス通信するステップと、
前記サーバーから複数の情報選択を受信するステップであって、該複数の情報選択は、各々、前記識別子に関連しているが、ある仕方で各々互いに変化するようなステップと、
前記複数の情報選択の１つをプレゼンテーションのために選択する音声作動コマンドを受信するステップと、
前記複数の情報選択のうちの前記選択された１つに対応する情報選択をプレゼンテーションするステップと、
を備える方法。
【請求項１１】
前記ステガノグラフィー証印は、デジタル透かしを含む、請求項１０に記載の方法。
【請求項１２】
映像を補獲する２つ以上のモードを有し、１つのモードは短い焦点長さで映像を補獲するためのもので、別のモードは長い焦点長さで像を補獲するためのものである映像補獲システムと、
前記短い及び長い焦点長さで補獲された映像ストリームにアクセスするためのサブウインドウ処理モジュールと、
を備えるポータブル装置。
【請求項１３】
前記ポータブル装置はセルラー電話である、請求項１２に記載のポータブル装置。
【請求項１４】
前記電話は、前記短い焦点長さにおける映像補獲中に、映像補獲のために物体を照明するための照明ソースを備える、請求項１３に記載のポータブル装置。
【請求項１５】
前記電話は、前記電話が物体上に置かれたときに映像補獲をトリガーするためのコンタクトスイッチを備える、請求項１４に記載のポータブル装置。
【請求項１６】
前記コンタクトスイッチは、前記物体を補獲した映像からのデジタル透かしの読み取りをトリガーする、請求項１５に記載のポータブル装置。
【請求項１７】
ワイヤレスネットワークを経て情報にアクセスするための方法において、
ステガノグラフィー証印を含む物体を表わす光学的スキャンデータを受け取るステップであって、前記証印が少なくとも１つの識別子を含むようなステップと、
前記光学スキャンデータの少なくとも一部分をサーバーへ通信して、前記ステガノグラフィー証印をデコードするステップと、
前記サーバーから複数の情報選択を受け取るステップであって、前記複数の情報選択は前記識別子に各々関連しているが、各々がある仕方で互いに変化するようなステップと、
前記複数の情報選択のうちの１つをプレゼンテーションのために選択するユーザ作動コマンドを受け取るステップと、
前記複数の情報選択のうちの前記選択された１つに対応する情報選択をプレゼンテーションするステップと、
を備える方法。
【請求項１８】
前記通信ステップはワイヤレス通信を含む、請求項１７に記載の方法。
【請求項１９】
前記ステガノグラフィー証印はデジタル透かしを含む、請求項１７に記載の方法。
【請求項２０】
前記ユーザ作動コマンドは音声コマンドを含む、請求項１７に記載の方法。
【請求項２１】
前記ステップはセルラー電話において実行される、請求項１７に記載の方法。
【請求項２２】
前記ステップはハンドヘルドパーソナルデジタルアシスタントにおいて実行される、請求項１７に記載の方法。
【請求項２３】
少なくとも第１の光学的経路と第２の光学的経路とを与える多焦点長さレンズ構造体を含む光学的サブシステムと、
少なくとも第１エリアと第２エリアとに仕切られた映像センサアレーであり、前記第１エリアが前記第１の光学的経路に関連した光を受け、前記第２エリアが前記第２の光学的経路に関連した光を受けるようになっている、前記映像センサアレーと、
前記第１エリアと前記第２エリアとに対応する映像データの選択を可能にする選択回路と、
前記第１エリアと前記第２エリアから映像データを与える通信バスと
を備えるカメラ。
【請求項２４】
前記映像センサアレーがＣＭＯＳセンサからなる、請求項２３に記載のカメラ。
【請求項２５】
前記映像センサアレーの仕切りが仮想的な仕切りを含む、請求項２３又は２４に記載のカメラ。
【請求項２６】
メモリ及び電子処理回路を更に備える、請求項２３〜２５のいずれか１項に記載のカメラ。
【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
複数のサブバンド信号を供給する手段（１０１）であって、前記サブバンド信号は少なくとも２つのサブバンドサンプルからなるシーケンスを１列含み、前記サブバンドサンプルの前記シーケンスはサブバンド信号の帯域幅を表し、前記サブバンド信号の帯域幅が入力信号の帯域幅よりも狭く、入力信号が所定数の入力サンプルを有するブロックを含む場合は、サブバンド信号のサブバンドサンプル数が入力サンプル数より少なくなるようにサブバンド信号を供給するよう作用する供給手段（１０１）と、
複数の残響サブバンド信号を得るために、残響フィルタを用いて各サブバンド信号をフィルタリングする手段（２０１）であって、複数の残響サブバンド信号が合わさって無相関信号を表す、フィルタリング手段（２０１）と、からなる入力信号を用いて無相関信号を生成する装置（１０２）。
【請求項２】
前記フィルタリング手段（２０１）は、前記サブバンド信号に遅延を加えるよう作用する、請求項１に記載の装置。
【請求項３】
前記フィルタリング手段（２０１）は、前記サブバンド信号に分数遅延を加えるよう作用し、前記分数遅延は、「０」より大きく、前記サブバンド信号のサンプリング周期より小さい、請求項２に記載の装置。
【請求項４】
前記分数遅延は、前記サブバンド信号のサンプリング周期である０．９より小さく、前記サブバンド信号のサンプリング周期である０．１よりも大きい、請求項３に記載の装置。
【請求項５】
前記フィルタリング手段（２０１）は、全域通過特性を有する、請求項１乃至４のいずれかに記載の装置。
【請求項６】
前記残響フィルタ（２０１）は、前記各サブバンド信号に同じ遅延を加えるよう作用する、請求項１乃至５のいずれかに記載の装置。
【請求項７】
前記残響フィルタ（２０１）は、前記各サブバンド信号用に、異なる群またはフィルタ係数を有する、請求項１乃至６のいずれかに記載の装置。
【請求項８】
前記残響フィルタは、前記サブバンド信号に所定の位相遅延を導入するよう作用する、請求項１乃至７のいずれかに記載の装置。
【請求項９】
前記サブバンドの数は、１より多く、１２８以下である、請求項１乃至８のいずれかに記載の装置。
【請求項１０】
前記サブバンドサンプル数に前記サブバンド数を乗じた数が、入力信号の所定数である、請求項１に記載の装置。
【請求項１１】
前記供給手段（１０１）は、複素直交ミラーフィルタバンクである、請求項１乃至１０のいずれかに記載の装置。
【請求項１２】
複数の原チャネルから得られるモノラル信号と、前記モノラル信号に関連し、複数の原チャネル間のコヒーレンスを表すチャネル間コヒーレンスの大きさとを復号化するマルチチャネル復号器であり、
前記モノラル信号から無相関信号を生成する請求項１乃至１２のいずれかに記載の生成器（１０２）と、
第１復号化出力信号を得るために第１ミキシングモードにより、および第２復号化出力信号を得るために第２ミキシングモードにより、前記モノラル信号と前記無相関信号をミックスし、前記チャネル間コヒーレンスの大きさを基に前記第１ミキシングモードおよび第２ミキシングモードを決定するよう作用するミキサー（１０３、１０４、１０５、１０６、１０７、１０８）と、からなるマルチチャネル復号器。
【請求項１３】
前記ミキサーは、各サブバンドの個別のチャネル間コヒーレンスの大きさに基づき、サブバンド領域でミキシングを行うよう作用し、
前記第１および第２復号化出力信号をサブバンド領域から時間領域に変換し、時間領域の第１および第２復号化出力信号を取得する手段（１０９、１１０）を更に備える請求項１２に記載のマルチチャネル復号器。
【請求項１４】
前記複数の原チャネルは、左側ステレオチャネルおよび右側ステレオチャネルを含み、前記第１復号化出力信号は、復号化された左側ステレオチャネルであり、前記第２復号化出力信号は、復号化された右側ステレオチャネルである、請求項１２または１３に記載のマルチチャネル復号器。
【請求項１５】
前記ミキサーは、前記モノラル信号のサブバンドを修正する手段（１０３、１０６）、または前記無相関信号のサブバンドを修正する手段１０４および１０５を含む、請求項１２乃至１４のいずれか１つに記載のマルチチャネル復号器。
【請求項１６】
前記修正手段は、信号レベル修正装置として実行される、請求項１５に記載のマルチチャネル復号器。
【請求項１７】
前記ミキサーは、前記モノラル信号の未修正サブバンドおよび前記無相関信号の修正サブバンドを加算、または前記モノラル信号の修正サブバンドおよび前記無相関信号の未修正サブバンドを加算、または前記モノラル信号の修正サブバンドおよび前記無相関信号の修正サブバンドを加算し、第１復号化出力チャネルまたは第２復号化出力チャネルのサブバンドを取得する加算器（１０７）を含む、請求項１５および１６に記載のマルチチャネル復号器。
【請求項１８】
前記生成器（１０２）は、前記モノラル信号の複数のサブバンドを供給するフィルタバンクを含み、前記フィルタバンクは、前記ミキサーおよび前記サブバンドの残響フィルタ
（２０１）に接続されるサブバンド出力を有する、請求項１２に記載のマルチチャネル復号器。
【請求項１９】
複数のサブバンド信号を供給（１０１）し、前記サブバンド信号は少なくとも２つのサブバンドサンプルからなるシーケンスを１列含み、前記サブバンドサンプルの前記シーケンスはサブバンド信号の帯域幅を表し、前記サブバンド信号の帯域幅が入力信号の帯域幅よりも狭く、前記供給工程は、入力信号が所定数の入力サンプルを有するブロックを含む場合は、サブバンド信号のサブバンドサンプル数が入力サンプル数より少なくなるようにサブバンド信号を供給し、
複数の残響サブバンド信号を得るために、残響フィルタを用いて各サブバンド信号をフィルタリングし（２０１）、複数の残響サブバンド信号が合わさって無相関信号を表すことからなる入力信号を用いて無相関信号を生成する方法（１０２）。
【請求項２０】
複数の原チャネルから得られるモノラル信号と、前記モノラル信号に関連し、複数の原チャネル間のコヒーレンスを表すチャネル間コヒーレンスの大きさを復号化するマルチチャネル復号化方法であり、
前記モノラル信号から無相関信号を請求項１９に記載の方法により生成し（１０２）、
第１復号化出力信号を得るために第１ミキシングモードにより、および第２復号化出力信号を得るために第２ミキシングモードにより、前記モノラル信号と前記無相関信号をミックスし（１０３、１０４、１０５、１０６、１０７、１０８）、前記ミキサーは、前記チャネル間コヒーレンスの大きさを基に前記第１ミキシングモードおよび第２ミキシングモードを決定するよう作用するマルチチャネル復号化方法。
【請求項２１】
請求項１９、２０に記載の方法を実行するために、コンピュータで読み取り可能なコードを有するコンピュータプログラム。
【手続補正２】
【補正対象書類名】明細書
【補正対象項目名】０００７
【補正方法】変更
【補正の内容】
【０００７】
【課題を解決するための手段】    
この目的は、請求項１による無相関信号生成装置、請求項１３によるマルチチャネル復号器、請求項２０による無相関信号の生成方法、または請求項２１によるコンピュータプログラムにより実現される。
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
ガラス状材料の感光性を増大させるための方法であって、
ａ）圧力チャンバー中に該ガラス状材料を配置するステップと；
ｂ）ガスの混合物で該チャンバーを少なくとも４０ＭＰａに加圧するステップであって、該混合物は、水素と少なくとも１種の希釈ガスとを含み；該混合物中の水素は第１の分圧を有し、該混合物中の希釈ガスは第２の分圧を有するステップと；
ｃ）指定の温度および全圧の該ガス混合物に該ガラス状材料を暴露するステップと；
を含む方法。
【請求項２】
前記混合物中の水素が同一の温度および分圧の条件下で純粋水素のフガシティーよりも大きいフガシティーを有するように、前記希釈ガス、前記温度、ならびに前記第１および第２の分圧が選択される、請求項１に記載の方法。
【請求項３】
前記混合物中の水素の分圧が０．１ＭＰａ未満である、請求項１に記載の方法。
【請求項４】
前記水素が、４％以下の体積濃度を有する、請求項１に記載の方法。
【請求項５】
最初に前記圧力チャンバーが水素で加圧され、次に少なくとも１種の希釈ガスが添加されて、より高い全圧の前記混合物が形成される、請求項１に記載の方法。
【請求項６】
前記圧力チャンバーが、水素と少なくとも１種の希釈ガスとよりなる前混合流体で加圧される、請求項１に記載の方法。
【請求項７】
少なくとも２５０℃の温度に前記ガス混合物を加熱することをさらに含む、請求項１に記載の方法。
【請求項８】
少なくとも１種の希釈ガスが、希ガス、亜酸化窒素、部分ハロゲン化炭化水素、完全ハロゲン化炭化水素、および六フッ化硫黄よりなる群から選択される、請求項１に記載の方法。
【請求項９】
ａ）圧力チャンバー中に光ファイバーを配置するステップと；
ｂ）ガスの混合物で該チャンバーを加圧するステップであって、該混合物は、水素と少なくとも１種の希釈ガスとを含むステップと；
ｃ）指定の温度および全圧で該光ファイバーを水素化するステップと；
を含む方法により生成される、増大された感光性を有する光ファイバー。
【請求項１０】
前記温度において、前記水素が、前記混合物中の水素の圧力分圧に等しい分圧を有する純粋水素のフガシティーよりも大きいフガシティーを前記混合物中で有するように、前記混合物の温度および圧力が選択される、請求項９に記載の光ファイバー。
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
異なった表示状態間を切換え可能な画素のアレイを有する、半導体基板上に存在する微小表示装置と、
該半導体基板上に同じく存在し、第１のフォーマットで画像データを受信し、かつ、第２のフォーマットで該微小表示装置の画素に該画像データを供給し、該第１のフォーマットは標準ビデオ信号であるデジタル・インタフェイス・デバイスと、
からなる画像データを表示するための微小表示装置システム。
【請求項２】
前記微小表示装置は第１の色、第２の色、および、第３の色の各フィールドを順次表示することにより画像データを表示する請求項１に記載の微小表示装置システム。
【請求項３】
前記第１のフォーマットは画素に対するＲＧＢデータを含み、第２の画素に対するＲＧＢデータが続き、および、ＲＧＢ画素データの行全体が供給されるまで順次継続し、その後にＲＧＢ画素データの別の行続く請求項１に記載の微小表示装置システム。
【請求項４】
前記第２のフォーマットは第１の色、第２の色、および、第３の色の順次フィールドを含む請求項１に記載の微小表示装置システム。
【請求項５】
前記デジタル・インタフェイス・デバイスは、ＲＧＢデータを、輝度成分および少なくとも２つの色成分を有するデータ・フォーマットに変換する請求項１に記載の微小表示装置システム。
【請求項６】
前記微小表示装置は、輝度成分および少なくとも２つの色成分を有する前記データ・フォーマットにおいて前記画像データを保存すべく該微小表示装置内に所在するメモリ・セルを含む請求項５に記載の微小表示装置システム。
【請求項７】
輝度データは各画素に対して保存され、色データは複数の画素のグループに対して保存される請求項６に記載の微小表示装置システム。
【請求項８】
前記微小表示装置は表示される画像データを保存するためのメモリ・セルを備え、同メモリ・セルは微小表示全体に分散している請求項１に記載の微小表示装置システム。
【請求項９】
前記分配されたメモリ・セルはいずれの特定の画素内、または、画素に隣接して必ずしも所在するわけではない請求項８に記載の微小表示
【請求項１０】
前記分配されたメモリ・セルは前記画素アレイとは共存されるが、該画素アレイ内の特定の画素とは物理的に接続されていない請求項８に記載の微小表示装置システム。
【請求項１１】
各画素は反射性画素電極を含み、同反射性画素電極は第１の平面内にあり、かつ、前記分配されたメモリ・セルは該第１の平面に平行な第２の平面内にあり、さらに、該反射性画素電極の少なくともいくつかの該第２の平面上への直角な投影は、別の反射性画素電極に対する画像情報を保存するメモリ・セルを覆う請求項１０に記載の微小表示装置。
【請求項１２】
照明装置、および、前記半導体基板に装着しているビームスプリッタ。アセンブリをさらに含む請求項１に記載の微小表示装置システム。
【請求項１３】
前記微小表示装置は各画素に対する画像データの２つの連続したフレームを保存するための二連メモリ・バッファを含む請求項１に記載の微小表示装置。
【請求項１４】
該微小表示装置は表示される画像データを保存するための、低電力ＳＲＡＭのメモリ・セルを含む請求項１に記載の微小表示装置システム。
【請求項１５】
該微小表示装置の各画素は画素電極を含み、該画素は、画素電圧源が、該微小表示装置の残り部分を駆動するために使用される論理電圧源により供給される電圧とは異なった大きさの電圧を、選択された画素電極に供給するために使用されることを可能にする回路、を含む請求項１に記載の微小表示装置システム。
【請求項１６】
特定の微小表示装置システムに固有の情報を保存し、それにより、該微小表示装置は該保存された情報を利用可能であり、かつ、該情報に基づき、該微小表示装置システムにより表示される画像の品質を向上する、該微小表示装置に接続された不揮発性メモリ、を含む請求項１に記載の微小表示装置システム。
【請求項１７】
前期微小表示装置における該画素のアレイは行に配列され、該行の第１の部分は１つのグループ内にあり、該行の第２の部分は第２のグループ内にあり、さらに、該第１および該第２のグループの１つのグループの該画素は画像情報を使用して頂部行から底部行に更新される一方、該第１および該第２のグループの別のグループの該画素は画像情報を使用して底部行から頂部行に更新される、請求項１に記載の微小表示装置システム。
【請求項１８】
前期微小表示装置は、複数の画素の各画素に対してランプ・カウンタ信号と所望の画素値の間で比較が行われ、かつ、これに基づき、各画素に対する独立した画素状態信号が各画素に送出される、請求項１に記載の微小表示装置システム。
【請求項１９】
前記微小表示装置は表示される画像データを保存するためのメモリ・セルを含み、該メモリ・セルは該微小表示装置全体を通じて分配され、該分配されたメモリ・セルは該画素アレイと同位置に存在するが、該画素アレイの特定の画素に物理的には接続されておらず、かつ、さらに、各画素は反射性画素電極を含み、該反射性画素電極は第１の平面内にあり、かつ、該分配されたメモリ・セルは該第１の平面であり、かつ、該第１の平面に平行である第２の面内にあり、かつ、さらに、該反射性画素電極の少なくともいくつかの該第２の平面上への直角投影は、別の反射性画素電極に対する画像情報を保存しているメモリ・セルを覆っている、請求項１に記載の微小表示装置システム。
【請求項２０】
各画素は内部に回路を有し、該回路は該画素に動作可能に接続され、該画素の内部の、かつ、該画素と動作可能に接続された該回路は複数のトランジスタを含み、該回路中には７００未満のトランジスタが存在する請求項１に記載の微小表示装置システム。
【請求項２１】
各画素は表示表面を有し、各画素は該画素の今後の表示状態に関した情報を含む該画素に動作可能に接続された少なくとも１つのメモリ・レジスタを有する微小表示装置と、
各画素および該画素に動作可能に接続された少なくとも１つのメモリ・レジスタにより占められた半導体基板上の表面積は１，０００平方ミクロン未満である、請求項１に記載の微小表示装置システム。
【請求項２２】
絵部分のアレイおよび一緒に集積化されたデータ保存部分のアレイを設ける工程と、
各部分に対する何らかの数のビットを含む画像データを受信する工程と、
その部分に対して受信されたビット数より小さい各画素に対する数のビットを該データ
保存アレイに保存し、それにより、保存された画像を作成する工程と、
その画素に対して保存されたビット数より大きいビット数を各画素に対して表示することにより、該保存された画像を該画素アレイ上に表示する工程と、
からなる、色および濃度諧調を有する画像を生成する方法。